(57)【要約】【課題】  設置場所を選ばず使用が容易であり、汚れやカビの発生も防ぐことのできる風呂蓋の支持部材を提供する。【解決手段】  板状の風呂蓋を壁に立てかける際に、風呂蓋を載せる支持部材８であって、この支持部材８は、上面に蓋受け部９ａ，９ｂを備え、この蓋受け部９ａ，９ｂは、壁側の一方端を最下点として反対側の他方端に向かって連続的に上昇する傾斜形状に形成され、他方端側には、蓋受け部９ａ，９ｂから上方に立ち上がった立面１３が備えられている。【選択図】  図１
2006263389.tif 000002
【特許請求の範囲】
【請求項１】
板状の風呂蓋を壁に立てかける際に、該風呂蓋を載せる支持部材であって、該支持部材は、上面に蓋受け部を備え、該蓋受け部は、前記壁側の一方端を最下点として反対側の他方端に向かって連続的に上昇する傾斜形状に形成され、他方端側には、蓋受け部から上方に立ち上がった立面が備えられていることを特徴とする風呂蓋の支持部材。
【請求項２】
前記蓋受け部は、所定距離離れてほぼ並行した２本以上の突条に形成され、各蓋受け部を繋ぐ連結部は、蓋受け部よりも高さが低く、支持部材上に垂れた水を排水可能に排水勾配が形成されていることを特徴とする請求項１に記載の風呂蓋の支持部材。
【発明の詳細な説明】
【技術分野】
【０００１】
本発明は、風呂蓋を壁に立てかけて収納する際に、風呂蓋を載せることのできる支持部材に関するものである。
【背景技術】
【０００２】
従来、風呂蓋を使用しない場合には、浴室壁に立てかけたり、壁から出したフックに引っ掛けたり、フックの上に載せたりして収納していたが、汚れが付き易く、カビも生え易く、また、風呂蓋を持ち上げてフックの上に収納する作業等がしづらいものであったため、出願人は既に特許文献１に示すような風呂蓋の支持構造を提案している。
【０００３】
特許文献１に開示されている風呂蓋の支持構造では、浴槽とは別部材に、風呂蓋を点接触させることができる高さの異なる２以上の段差を形成し、２以上の段差上に、分割された板状の風呂蓋を一定の間隔をおいて置けるように構成したものである。
【特許文献１】特開２００４−２３７０６５号公報
【発明の開示】
【発明が解決しようとする課題】
【０００４】
特許文献１に開示されているような風呂蓋の支持構造では、２以上の段の上に風呂蓋を上手く置くのが面倒であり、上手く置くようにするためには、段の幅を広くする必要があるが、風呂蓋の厚みが厚い場合には、段がより大きなものとなってしまい、入浴中に邪魔になる場合が生じ、また、段が壁と並行になっていないと上手く風呂蓋を置くことができないため、支持部材を慎重に位置決めして浴槽に設置する必要があった。
【課題を解決するための手段】
【０００５】
本発明は上記従来の問題点に鑑み案出したものであって、風呂蓋を簡単に置いて良好な収納状態が得られ、汚れやカビが生じにくくなる風呂蓋の支持部材を提供するものであり、その請求項１は、板状の風呂蓋を壁に立てかける際に、該風呂蓋を載せる支持部材であって、該支持部材は、上面に蓋受け部を備え、該蓋受け部は、前記壁側の一方端を最下点として反対側の他方端に向かって連続的に上昇する傾斜形状に形成され、他方端側には、蓋受け部から上方に立ち上がった立面が備えられていることである。
【０００６】
また請求項２は、前記蓋受け部は、所定距離離れてほぼ並行した２本以上の突条に形成され、各蓋受け部を繋ぐ連結部は、蓋受け部よりも高さが低く、支持部材上に垂れた水を排水可能に排水勾配が形成されていることである。
【発明の効果】
【０００７】
本発明の風呂蓋を載せる支持部材は、上面に蓋受け部を備え、蓋受け部は、壁側の一方端を最下点として反対側の他方端に向かって連続的に上昇する傾斜形状に形成され、他方端側には、蓋受け部から上方に立ち上がった立面が備えられていることにより、蓋受け部は連続的に上昇しているため、蓋受け部の任意の場所に風呂蓋を載せることができ、壁に安定的に風呂蓋を持たれかけさせることができるものとなる。
【０００８】
また、蓋受け部は宙に浮いているため、風呂蓋の外周エッジが床面等の設置面に密着することがなく、汚れの付着や、カビの発生が生じないものとなる。
また、蓋受け部の長さを長くしておけば、支持部材が壁に対して多少傾いていても、問題なく風呂蓋を載せることができ、２枚割りの風呂蓋でも３枚割りの風呂蓋でも良好に置くことができるものとなる。
また、支持部材は自由な位置に置けるため、洗い場や浴槽上面等に自由に置くことができる。
このように、風呂蓋を、床面等の設置面から宙に浮かせて安定的に壁に持たれかけさせて収納することが可能であり、汚れの付着やカビの発生を低減できるものとなり、しかも支持部材は簡単な構造で安価に製作できるものとなる。
【０００９】
また、蓋受け部は、所定距離離れてほぼ並行した２本以上の突条に形成され、各蓋受け部を繋ぐ連結部は、蓋受け部よりも高さが低く、支持部材上に垂れた水を排水可能に排水勾配が形成されていることにより、連結部で結合された２本以上の蓋受け部があれば、１個の支持部材で風呂蓋を完全に宙に浮かせることも可能であり、また連結されているため、蓋受け部の向きを個別に揃える必要もなく、壁に対し少しぐらい傾いていても問題はなく、また支持部材は幅があるため、壁に押し当てるだけで直角に置き易いものとなる。
更に、蓋受け部は突条であるため、風呂蓋との接触面積も小さく、水が残りにくく汚れにくいものとなり、支持部材上に垂れた水や、かかった水も連結部を介して良好に排水できるものとなる。
【実施例】
【００１０】
以下、本発明の実施例を図面に基づいて説明する。
図１に斜視図で、図２に平面図で、図３に側面図で示す支持部材は、例えば図４に示すように使用されるものである。
図４において、浴室１内には浴槽２が設置され、洗い場３側の壁４には手摺り５が設置されており、手摺り５と反対側の壁にはカウンター６が設置されている。
支持部材８は、例えば、洗い場３の壁４に風呂蓋７を立てかける際に、風呂蓋７を載せることができるものであり、図５の側面図で示すように、支持部材８上に、例えば２つ割りの板状の風呂蓋７の外周のエッジ部７ａを点接触状態で載せて、良好に水切りした状態で収納させておくことができるものである。
【００１１】
この支持部材８は、図１，図２，図３で示すような形状に、例えばポリプロピレンで形成されており、所定距離離してほぼ並行した２本の突条に左右の蓋受け部９ａ，９ｂが形成され、左右の蓋受け部９ａ，９ｂの上面は傾斜状に形成されて、左右の蓋受け部９ａ，９ｂ間は、一段低い位置の連結部１０で連結されており、この連結部１０は、宙に浮いた状態に傾斜状に水勾配が形成されたものとなっている。
左右の蓋受け部９ａ，９ｂには、下方側へ連続して垂下状に側面部１１ａが一体形成されており、この側面部１１ａの他方端側には、下方へ垂下状に垂下部１１ｂが一体形成されて、この垂下部１１ｂには他端側垂下片１２が一体化されて、他端側垂下片１２から上方へ延びて立面１３が一体形成されており、この立面１３は、左右の蓋受け部９ａ，９ｂの他方端側に、蓋受け部９ａ，９ｂよりも上方へ突出して配置されており、立面１３の幅寸法は、左右の蓋受け部９ａ，９ｂよりも外側へ張り出した寸法となっている。
【００１２】
なお、側面部１１ａの垂下部１１ｂにより、側面側に側面浮き上がり開口Ｓ１が形成されており、洗い場３上に設置した時に、洗い場３よりも他方端側が浮き上がった状態となる。
また、この垂下部１１ｂと反対側の一方端側にも高さの低い一端側垂下片１４ａ，１４ｂが、それぞれ側面部１１ａに連続して形成されており、一端側垂下片１４ａ，１４ｂ間には、洗い場３側から浮き上がって開口した一端側開口Ｓ２が形成されている。
【００１３】
更に左右の他端側垂下片１２の中央部にも他端側開口Ｓ３が形成されており、他端側開口Ｓ３から一端側開口Ｓ２に向かって、また側面浮き上がり開口Ｓ１に向かって、洗い場３上を良好に排水が流れるように構成されている。
即ち、左右の蓋受け部９ａ，９ｂは、設置面である洗い場３に支持部材８を設置した状態で宙に浮いた状態となり、一端側開口Ｓ２側が最も低い最下点となり、反対側の立面１３側の他方端側に向かって連続的に上昇する傾斜形状に形成されている。
なお、一端側開口Ｓ２の上方には、上下に貫通して貫通孔１５が形成されている。
【００１４】
この支持部材８は、洗い場３に設置することも、また浴槽２の上面に設置することも可能であり、更には脱衣室に設置することも可能である。
なお、設置面が滑りやすい場合には、この支持部材８の底面、即ち垂下部１１ｂ，他端側垂下片１２の底側、及び一端側垂下片１４ａ，１４ｂの底側にゴム脚を付けたり、またはエラストマーを付設して滑り止め構造とすることもできる。
【００１５】
なお、この支持部材８は、使用しない場合には、洗い場３の隅やカウンター６等の邪魔にならない位置に立面１３を下面にして、連結部１０を起立させた状態で収納させておくこともでき、また図６に示すように、手摺り５に例えばＳ字状のフック１７を掛けて、このＳ字状のフック１７を貫通孔１５に通して、Ｓ字フック１７で手摺り５に吊り下げ状にして収納させておくこともでき、省スペースで収納しておくことができるものである。
【００１６】
このような支持部材８は、一端側開口Ｓ２側を壁４に押し付けて洗い場３上に設置することにより、良好に壁４と直角状態に設置され、この状態で、左右の蓋受け部９ａ，９ｂ上に風呂蓋７の外周のエッジ部７ａを載せることができ、蓋受け部９ａ，９ｂの任意の位置に風呂蓋７を載せて、安定的に壁４側に風呂蓋７を持たれかけさせることができ、極めて容易に使用できるものであり、その状態では風呂蓋７は宙に浮いた状態となるため、風呂蓋７に排水が付着して汚れが生じたり、カビが生ずることがない。
【００１７】
また、風呂蓋７から支持部材８上に垂れた水等は、良好に連結部１０上を流れて一方端側へ排水されるため、水切りも良好なものとなる。
なお、左右の蓋受け部９ａ，９ｂ間の幅寸法に余裕を持たせておけば、１個の支持部材８で十分に風呂蓋７を宙に浮いた状態に支持できるものとなる。
【００１８】
なお、蓋受け部９ａ，９ｂの一方端側から他方端側へ向かう長さに余裕を持たせて、例えば３枚割りの風呂蓋７に合わせた長さに設定しておけば、２枚割りの風呂蓋でも同じ支持部材８で対応することが可能であり、３枚割りの風呂蓋であっても２枚割りの風呂蓋であっても、更には１枚だけの風呂蓋７でも、良好に支持部材８上に置くことができるものとなる。
【図面の簡単な説明】
【００１９】
【図１】支持部材の斜視構成図である。
【図２】支持部材の平面構成図である。
【図３】支持部材の側面構成図である。
【図４】支持部材を洗い場に設置し風呂蓋を載せた状態の斜視構成図である。
【図５】使用状態の側面構成図である。
【図６】支持部材を手摺りに引っ掛けて収納した状態の斜視構成図である。
【符号の説明】
【００２０】
１  浴室
３  洗い場
４  壁
５  手摺り
７  風呂蓋
７ａ  エッジ部
８  支持部材
９ａ，９ｂ  蓋受け部
１０  連結部
１１ａ  側面部
１１ｂ  垂下部
１２  他端側垂下片
１３  立面
１４ａ，１４ｂ  一端側垂下片
１５  貫通孔
１７  Ｓ字フック
Ｓ１  側面浮き上がり開口
Ｓ２  一端側開口
Ｓ３  他端側開口
【図１】
2006263389.tif 000003
【図２】
2006263389.tif 000004
【図３】
2006263389.tif 000005
【図４】
2006263389.tif 000006
【図５】
2006263389.tif 000007
【図６】
2006263389.tif 000008